(57)【要約】【課題】多様な特性を有する高速のデータを放送及びマルチキャストする無線アクセス網に適当な伝送スケジューリング方法を提供すること。【解決手段】本発明は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）のマルチメディアサービスに関し、ＵＴＲＡＮがＭＢＭＳサービスを提供する場合、ＭＢＭＳサービスデータが伝送される時間をＭＢＭＳサービス毎に指定して、該当の時間情報を、特定のＭＢＭＳサービスを受信しようとする端末グループに伝送する。従って、端末グループの端末は、該当の時間情報の区間の間ＭＢＭＳサービスデータを受信し、それ以外の時間には制御信号またはＭＢＭＳサービスを除いた他のサービスを受信する。【選択図】図６
2008136245.tif 000002
【特許請求の範囲】
【請求項１】
ネットワークから少なくとも１つの移動端末に少なくとも１つの点対多サービスデータを伝送する方法であって、該少なくとも１つの移動端末は無線通信システムにおいて少なくとも１つの点対多サービスのそれぞれに参加しており、該方法は、
該少なくとも１つの点対多サービスの開始点情報および期間情報を含む１つ以上のセットのスケジュール情報を決定することであって、該開始点情報は、該少なくとも１つの点対多サービスの伝送の開始点をフレーム数で示し、該期間情報は、該少なくとも１つの点対多サービスのデータが伝送される連続フレームのフレーム数を示す、ことと、
該少なくとも１つの点対多サービスのデータを、該少なくとも１つの点対多サービスに対する該決定された１つ以上のセットのスケジュール情報に従って伝送することと
を包含する、方法。
【請求項２】
前記１つ以上のセットのスケジュール情報に含まれる前記開始点情報および前記期間情報は、１つのスケジュール期間についてである、請求項１に記載の方法。
【請求項３】
前記１つ以上のセットのスケジュール情報は、次のスケジュール期間の情報をさらに含み、該次のスケジュール期間の該情報は、連続フレームグループの開始点と該次の連続フレームグループの開始点との間隔を含む、請求項１に記載の方法。
【請求項４】
前記１つ以上のセットのスケジュール情報は、次のスケジュール期間の情報をさらに含み、該次のスケジュール期間の該情報は、時間間隔の反復周期である、請求項１に記載の方法。
【請求項５】
前記少なくとも１つの点対多サービスのデータは、マルチメディアサービスデータを含み、該少なくとも１つの点対多サービスは、マルチメディア放送・マルチキャストサービス（ＭＢＭＳ）である、請求項１に記載の方法。
【請求項６】
無線通信システムにおいて、参加されている点対多サービスのデータをネットワークから不連続に受信する方法であって、該方法は、
該点対多サービスの開始点情報および期間情報を含む１つ以上のセットのスケジュール情報を受信することであって、該開始点情報は、該点対多サービスの伝送の開始点をフレーム数で示し、該期間情報は、該点対多サービスのデータが伝送される連続フレームのフレーム数を示す、ことと、
該点対多サービスのデータを、該点対多サービスに対する該受信された１つ以上のセットのスケジュール情報に従って受信することと
を包含する、方法。
【請求項７】
前記開始点情報は時間区間であり、前記期間情報は時間間隔である、請求項６に記載の方法。
【請求項８】
次のスケジュール期間に従って複数の点対多サービスのうちの１つを不連続に受信するさらなるステップを包含し、該次のスケジュール期間は、連続フレームグループの開始点と次の連続フレームグループの開始点との間隔を示す、請求項６に記載の方法。
【請求項９】
前記点対多サービスに対する前記１つ以上のセットのスケジュール情報は、周期的に受信される、請求項６に記載の方法。
【請求項１０】
ネットワークから少なくとも１つの移動端末に少なくとも１つの点対多サービスデータを伝送する装置であって、該少なくとも１つの移動端末は無線通信システムにおいて少なくとも１つの点対多サービスのそれぞれに参加しており、該装置は、プロトコルエンティティを備え、該プロトコルエンティティは、
該少なくとも１つの点対多サービスの開始点情報および期間情報を含む１つ以上のセットのスケジュール情報を決定することであって、該開始点情報は、該少なくとも１つの点対多サービスの伝送の開始点をフレーム数で示し、該期間情報は、該少なくとも１つの点対多サービスのデータが伝送される連続フレームのフレーム数を示す、ことと、
該少なくとも１つの点対多サービスのデータを、該少なくとも１つの点対多サービスに対する該決定された１つ以上のセットのスケジュール情報に従って伝送することと
によって、伝送間隔を制御平面において指定するように適合されている、装置。
【請求項１１】
無線通信システムにおいて、参加されている点対多サービスのデータをネットワークから不連続に受信する装置であって、該装置は、プロトコルエンティティを備え、該プロトコルエンティティは、
該点対多サービスの開始点情報および期間情報を含む１つ以上のセットのスケジュール情報を受信することであって、該開始点情報は、該点対多サービスの伝送の開始点をフレーム数で示し、該期間情報は、該点対多サービスのデータが伝送される連続フレームのフレーム数を示す、ことと、
該点対多サービスのデータを、該点対多サービスに対する該受信された１つ以上のセットのスケジュール情報に従って受信することと
によって、伝送間隔を制御平面において指定するように適合されている、装置。
【発明の詳細な説明】
【技術分野】
【０００１】
本発明は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）のＭｕｌｔｉｍｅｄｉａ  Ｂｒｏａｄｃａｓｔ／Ｍｕｌｔｉｃａｓｔ  Ｓｅｒｖｉｃｅ（ＭＢＭＳ）サービスに関し、特に、ＭＢＭＳサービスデータの伝送スケジューリング方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ヨーロッパ式標準のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムから進化した第３世代移動通信システムであって、ＧＳＭ核心網（Ｃｏｒｅ  Ｎｅｔｗｏｒｋ）及びＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）接続技術を基盤として、より向上した移動通信サービスの提供を目標とする。
【０００３】
図１は、一般のＵＭＴＳの網構造である。
【０００４】
図１に示すように、ＵＭＴＳシステムは、大きく端末、ＵＴＲＡＮ及び核心網により構成される。ＵＴＲＡＮは、一つ以上の無線網サブシステム（Ｒａｄｉｏ  Ｎｅｔｗｏｒｋ
Ｓｕｂ−ｓｙｓｔｅｍｓ：ＲＮＳ）により構成され、各ＲＮＳは、一つの無線網制御器（Ｒａｄｉｏ  Ｎｅｔｗｏｒｋ  Ｃｏｎｔｒｏｌｌｅｒ：ＲＮＣ）と、そのＲＮＣにより管理される一つ以上のＮｏｄｅ  Ｂ（基地局）と、により構成される。
【０００５】
Ｎｏｄｅ  Ｂは、ＲＮＣにより管理され、アップリンクでは端末の物理階層から伝送される情報を受信し、ダウンリンクでは端末にデータを伝送して端末に対するＵＴＲＡＮのアクセスポイント（Ａｃｃｅｓｓ  Ｐｏｉｎｔ）の役割を担当する。前記ＲＮＣは、無線資源の割当及び管理を担当し、核心網とのアクセスポイントの役割を担当する。
【０００６】
ＵＴＲＡＮの主な機能は、端末と核心網間の通話のために無線アクセスベアラ（Ｒａｄｉｏ  Ａｃｃｅｓｓ  Ｂｅａｒｅｒ：ＲＡＢ）を構成及び維持することである。核心網は、終端間（ｅｎｄ−ｔｏ−ｅｎｄ）のサービス品質（Ｑｕａｌｉｔｙ  ｏｆ  Ｓｅｒｖｉｃｅ：ＱｏＳ）要求事項をＲＡＢに適用し、ＲＡＢは核心網が設定したＱｏＳ要求事項を支援する。従って、ＵＴＲＡＮは、ＲＡＢを構成及び維持することで、終端間のＱｏＳ要求事項を充足させる。
【０００７】
ＲＡＢサービスは、更に下位概念のＩｕ  ＢｅａｒｅｒサービスとＲａｄｉｏ  Ｂｅａｒｅｒサービスとに分けられる。ここで、Ｉｕ  Ｂｅａｒｅｒサービスは、ＵＴＲＡＮと核心網の境界ノード間で使用者データの信頼性のある伝送を担当し、Ｒａｄｉｏ  Ｂｅａｒｅｒサービスは、端末とＵＴＲＡＮ間で使用者データの信頼性のある伝送を担当する。
【０００８】
ＵＭＴＳにおいて、トラフィックは、次のような特性、即ち、ｃｏｎｖｅｒｓａｔｉｏｎａｌ  ｃｌａｓｓ、ｓｔｒｅａｍｉｎｇ  ｃｌａｓｓ、ｉｎｔｅｒａｃｔｉｖｅ  ｃｌａｓｓ及びｂａｃｋｇｒｏｕｎｄ  ｃｌａｓｓの四つのＱｏＳタイプ（＝ｃｌａｓｓ）に分類される。前記ｃｏｎｖｅｒｓａｔｉｏｎａｌ  ｃｌａｓｓは、最小の固定遅延を要し、バッファリングが許容されず、保障されたビット率を提供する対称トラフィックタイプで、ｓｔｒｅａｍｉｎｇ  ｃｌａｓｓは、最小の可変遅延を要し、バッファリングが許容されず、保障されたビット率を提供する非対称トラフィックタイプである。また、ｉｎｔｅｒａｃｔｉｖｅ  ｃｌａｓｓは、適当な（ｍｏｄｅｒａｔｅ）可変遅延を要し、バッファリングが許容され、保障されたビット率を提供しない非対称トラフィックタイプで、ｂａｃｋｇｒｏｕｎｄ  ｃｌａｓｓは、大きな可変遅延を要し、バッファリングが許容され、保障されたビット率を提供しない非対称トラフィックタイプである。
【０００９】
図２は、３ＧＰＰ無線アクセス網規格を基盤とした、端末とＵＴＲＡＮ間の無線プロトコルの構造である。
【００１０】
図２を参照すると、無線プロトコルは、水平的に、物理階層、データリンク階層及びネットワーク階層からなり、垂直的には、データ情報を伝送するための使用者平面（Ｕｓｅｒ  Ｐｌａｎｅ）と、制御信号（Ｓｉｇｎａｌｉｎｇ）の伝達のための制御平面（Ｃｏｎｔｒｏｌ  Ｐｌａｎｅ）とに区分される。前記使用者平面は、音声やＩＰパケットのように使用者のトラフィック情報が伝達される領域で、前記制御平面は、網のインターフェースや呼の維持及び管理のような制御情報が伝達される領域を示す。
【００１１】
図２に示す各プロトコル階層は、通信システムにおいて広く知られている開放型システム間相互接続（Ｏｐｅｎ  ｓｙｓｔｅｍ  ｉｎｔｅｒｆａｃｅ：ＯＳＩ）基準モデルの下位の三つの階層に基づいて、Ｌ１（第１階層）、Ｌ２（第２階層）、Ｌ３（第３階層）に区分することができる。
【００１２】
Ｌ１階層（ＰＨＹ）は、多様な無線伝送技術を利用して上位階層に情報伝送サービスを提供する。前記Ｌ１階層は、伝送チャンネル（Ｔｒａｎｓｐｏｒｔ  ｃｈａｎｎｅｌ）を通じて上位の媒体アクセス制御（Ｍｅｄｉｕｍ  ａｃｃｅｓｓ  ｃｏｎｔｒｏｌ）階層と接続され、伝送チャンネルを通じてＭＡＣ階層と物理階層間のデータが移動する。
【００１３】
媒体アクセス制御（Ｍｅｄｉｕｍ  ａｃｃｅｓｓ  ｃｏｎｔｒｏｌ：ＭＡＣ）階層は、無線資源の割当及び再割当のためのＭＡＣパラメーターの再割当サービスを提供し、論理チャンネル（Ｌｏｇｉｃａｌ  ｃｈａｎｎｅｌ）を通じて上位の無線リンク制御（Ｒａｄｉｏ  ｌｉｎｋ  ｃｏｎｔｒｏｌ：ＲＬＣ）階層と連結される。前記ＭＡＣには、伝送される情報の種類によって多様な論理チャンネルが提供されるが、一般に、制御平面の情報を伝送する場合は、制御チャンネル（Ｃｏｎｔｒｏｌ  ｃｈａｎｎｅｌ）を利用し、使用者平面の情報を伝送する場合は、トラフィックチャンネル（Ｔｒａｆｆｉｃ  ｃｈａｎｎｅｌ）を利用する。前記ＭＡＣは、管理する伝送チャンネルの種類によって、ＭＡＣ−ｂサブ階層（Ｓｕｂｌａｙｅｒ）、ＭＡＣ−ｄサブ階層及びＭＡＣ−ｃ／ｓｈサブ階層に区分される。前記ＭＡＣ−ｂサブ階層は、システム情報の放送を担当する伝送チャンネルのＢＣＨ（Ｂｒｏａｄｃａｓｔ  ｃｈａｎｎｅｌ）を管理し、ＭＡＣ−ｃ／ｓｈサブ階層は、他の端末と共通するＦＡＣＨ（Ｆｏｒｗａｒｄ  ａｃｃｅｓｓ  ｃｈａｎｎｅｌ）やＤＳＣＨ（Ｄｏｗｎｌｉｎｋ  ｓｈａｒｅｄ  ｃｈａｎｎｅｌ）のような共通伝送チャンネルを管理する。ＵＴＲＡＮのＭＡＣ−ｃ／ｓｈサブ階層は、Ｃｏｎｔｒｏｌ  ＲＮＣ（ＣＲＮＣ）に位置し、セル内の全ての端末が共有する各チャンネルを管理するので、各セルに対して一つずつ存在する。また、各端末にも一つずつのＭＡＣ−ｃ／ｓｈサブ階層が存在する。ＭＡＣ−ｄサブ階層は、特定の端末に対する専用伝送チャンネルのＤＣＨ（Ｄｅｄｉｃａｔｅｄ  ｃｈａｎｎｅｌ）の管理を担当する。従って、ＵＴＲＡＮのＭＡＣ−ｄサブ階層は、該当の端末を管理するＳｅｒｖｉｎｇ  ＲＮＣ（ＳＲＮＣ）に位置し、各端末にも一つずつのＭＡＣ−ｄサブ階層が存在する。
【００１４】
無線リンク制御（Ｒａｄｉｏ  ｌｉｎｋ  ｃｏｎｔｒｏｌ：ＲＬＣ）階層は、信頼性のあるデータの伝送を支援し、上位階層からのＲＬＣサービスデータ単位（Ｓｅｒｖｉｃｅ
ｄａｔａ  ｕｎｉｔ：ＳＤＵ）の分割及び連結（Ｓｅｇｍｅｎｔａｔｉｏｎ  ａｎｄ  ｃｏｎｃａｔｅｎａｔｉｏｎ）機能を遂行する。上位から伝達されたＲＬＣ  ＳＤＵは、ＲＬＣ階層で処理容量に合わせて大きさが調節された後、ヘッダー（ｈｅａｄｅｒ）情報が加えられ、プロトコルデータ単位（Ｐｒｏｔｏｃｏｌ  ｄａｔａ  ｕｎｉｔ：ＰＤＵ）の形態でＭＡＣ階層に伝達される。ＲＬＣ階層には、上位からのＲＬＣ  ＳＤＵまたはＲＬＣ  ＰＤＵを保存するためのＲＬＣバッファが存在する。
【００１５】
放送／マルチキャスト制御（Ｂｒｏａｄｃａｓｔ／ｍｕｌｔｉｃａｓｔ  ｃｏｎｔｒｏｌ：ＢＭＣ）階層は、核心網から伝達されたセル放送メッセージ（Ｃｅｌｌ  ｂｒｏａｄｃａｓｔ  ｍｅｓｓａｇｅ：ＣＢ）をスケジューリングし、特定セル（ら）に位置した各ＵＥにＣＢを放送する機能を遂行する。ＵＴＲＡＮの側面から見ると、上位から伝達されたＣＢメッセージは、メッセージＩＤ、シリアルナンバー、コーディングスキームなどの情報が加えられてＢＭＣメッセージの形態でＲＬＣ階層に伝達され、論理チャンネルのＣＴＣＨ（Ｃｏｍｍｏｎ  ｔｒａｆｆｉｃ  ｃｈａｎｎｅｌ）を通じてＭＡＣ階層に伝達される。この場合、論理チャンネル（ＣＴＣＨ）は、伝送チャンネルのＦＡＣＨ（Ｆｏｒｗａｒｄ  ａｃｃｅｓｓ  ｃｈａｎｎｅｌ）及び物理チャンネルのＳ−ＣＣＰＣＨ（Ｓｅｃｏｎｄａｒｙ  ｃｏｍｍｏｎ  ｃｏｎｔｒｏｌ  ｐｈｙｓｉｃａｌ  ｃｈａｎｎｅｌ）にマッピングされる。
【００１６】
パケットデータ収束プロトコル（Ｐａｃｋｅｔ  ｄａｔａ  ｃｏｎｖｅｒｇｅｎｃｅ  ｐｒｏｔｏｃｏｌ：ＰＤＣＰ）階層は、ＲＬＣ階層の上位に位置し、ＩＰｖ４やＩＰｖ６のようなネットワークプロトコルを通じて伝送されるデータが、相対的に帯域幅の小さい無線インターフェース上で效率的に伝送されるようにする。このために、ＰＤＣＰ階層は、不要な制御情報を減らす機能を遂行するが、この機能をヘッダー圧縮（Ｈｅａｄｅｒ  ｃｏｍｐｒｅｓｓｉｏｎ）といい、ＩＥＴＦ（Ｉｎｔｅｒｎｅｔ  ｅｎｇｉｎｅｅｒｉｎｇ  ｔａｓｋ  ｆｏｒｃｅ）というインターネット標準化グループで定義するヘッダー圧縮技法のＲＦＣ２５０７及びＲＦＣ３０９５（Ｒｏｂｕｓｔ  ｈｅａｄｅｒ  ｃｏｍｐｒｅｓｓｉｏｎ：ＲＯＨＣ）を用いることができる。これらの方法は、データのヘッダー部分に必ず必要な情報のみを伝送するようにしてより少ない制御情報を伝送するので、伝送すべきデータ量を減らすことができる。
【００１７】
Ｌ３の最下部に位置した無線資源制御（Ｒａｄｉｏ  Ｒｅｓｏｕｒｃｅ  Ｃｏｎｔｒｏｌ：ＲＲＣ）階層は、制御平面でのみ定義され、無線ベアラ（Ｒａｄｉｏ  ｂｅａｒｅｒ：ＲＢ）の設定、再設定及び解除に関連して、伝送チャンネル及び物理チャンネルを制御する。このとき、前記ＲＢは、端末とＵＴＲＡＮ間のデータ伝達のために第２階層により提供されるサービスを意味し、一般に、ＲＢが設定されるということは、特定のサービスを提供するために必要なプロトコル階層及びチャンネルの特性を規定し、それぞれの具体的なパラメーター及び動作方法を設定する過程を意味する。
【００１８】
以下、前記ＢＭＣ階層に関連するセル放送サービス（Ｃｅｌｌ  ｂｒｏａｄｃａｓｔ  ｓｅｒｖｉｃｅ：ＣＢＳ）について説明する。
【００１９】
端末間、または端末とネットワーク間に、文字及び数字により構成されたメッセージを送受信するサービスを短文メッセージサービス（Ｓｈｏｒｔ  Ｍｅｓｓａｇｅ  Ｓｅｒｖｉｃｅ：ＳＭＳ）という。このようなＳＭＳは、更に一つ以上のセルに同じ短文メッセージを送るセル放送ＳＭＳ（Ｃｅｌｌ  ｂｒｏａｄｃａｓｔ  ｓｈｏｒｔ  ｍｅｓｓａｇｅ
ｓｅｒｖｉｃｅ：ＳＭＳ−ＣＢ）サービスと、点対点ＳＭＳ（Ｐｏｉｎｔ−ｔｏ−Ｐｏｉｎｔ  ＳＭＳ：ＳＭＳ−ＰＰ）サービスとに分けられる。ここで、ＣＢＳサービスは、前記ＳＭＳ−ＣＢサービスに該当し、特に、複数のＣＢＳメッセージを特定地域の全ての使用者に放送するサービスをいう。
【００２０】
ＣＢＳメッセージは、セル放送地域（Ｃｅｌｌ  ｂｒｏａｄｃａｓｔ  ａｒｅａ）と呼ばれる地理学的地域に放送される。前記セル放送地域は、一つ以上のセルにより構成されるか、ＰＬＭＮ全体により構成され、各ＣＢＳメッセージは、情報提供者とＰＬＭＮ運営者間の相互契約により地理学的領域に放送される。
【００２１】
ＢＭＣプロトコルで使用されるメッセージとしては、使用者情報を伝達するＣＢＳメッセージ、端末のＣＢＣメッセージの受信を容易にするためのスケジュールメッセージ、ＡＮＳＩ４１網で伝達する短文メッセージを伝達するＣＢＳ４１メッセージがある。全てのメッセージは、ＵＴＲＡＮから端末方向のみに伝送される。端末は、ＵＴＲＡＮが伝達するスケジュールメッセージの情報を利用して、不連続受信（Ｄｉｓｃｏｎｔｉｎｕｏｕｓ
ｒｅｃｅｐｔｉｏｎ：ＤＲＸ）機能を遂行することで、バッテリーの使用量を減らすことができる。
【００２２】
ＢＭＣメッセージのスケジューリングは、第１及び第２レベルスケジューリングに区分される。第１レベルスケジューリングは、Ｃｏｍｍｏｎ  Ｔｒａｆｆｉｃ  Ｃｈａｎｎｅｌ（ＣＴＣＨ）チャンネルのデータが伝送されるフレームを決定（割当）するスケジューリングである。
【００２３】
図３は、第１レベルスケジューリングの方式を説明するための図で、最初の列の数字は、Ｓｙｓｔｅｍ  Ｆｒａｍｅ  Ｎｕｍｂｅｒ（ＳＦＮ）値を示す。
【００２４】
論理チャンネル（ＣＴＣＨ）は、伝送チャンネル（ＦＡＣＨ）を通じて物理チャンネル（Ｓ−ＣＣＰＣＨ）にマッピングされる。第１レベルスケジューリングは、データを伝送する前に、論理チャンネル（ＣＴＣＨ）のデータが伝送される物理チャンネルのフレームを予め指定することである。ＣＴＣＨを通じて伝達されるデータは、常に何れの連続的なＭ個のフレームがグループ伝送され、このようなフレームグループは、所定のフレームを周期（Ｎ）だけ繰り返す。例えば、図３に示すように、ＣＴＣＨを通じて伝達されるデータは、常に二つの連続的なフレーム区間の間伝送され、六つのフレームを周期に繰り返される。また、ＣＴＣＨデータを伝送するフレームグループは、ＳＦＮ値がＫの時に開始されて周期（Ｎ）だけ繰り返される。図３において、フレームグループは、ＳＦＮ値がＫ＝２の時に開始されて周期（６）だけ反復伝送される。
【００２５】
第１レベルスケジューリングは、ＣＢＳの全てのサービスに対して同様に行われる。即ち、ＣＢＳの全てのサービスは、同じセルでは同じフレームが割り当てられる。第１レベルスケジューリングは、ＲＲＣ階層で行われ、前記Ｎ、Ｋ及びＭ値は、システム情報に含まれて端末に放送される。
【００２６】
ＢＭＣの第２レベルスケジューリングは、第１レベルスケジューリングで割り当てられたフレームを、更にＣＢＳスケジュール期間（ＣＢＳ  Ｓｃｈｅｄｕｌｅ  Ｐｅｒｉｏｄ）に分けるスケジューリングである。第２レベルスケジューリングは、ＢＭＣ階層で行われ、端末は、ＢＭＣスケジュールメッセージを受信してＣＢＳスケジュール期間情報を獲得する。ＢＭＣスケジュールメッセージは、ＣＢＳスケジュール期間の長さ及びＣＢＳスケジュール期間の開始点情報を含む。ＣＢＳスケジュール期間の長さは、ＢＭＣスケジュールメッセージの次に開始されるＣＢＳスケジュール期間の開始と終了間の長さを示し、ＣＢＳスケジュール期間の開始点は、現在のＢＭＣスケジュールメッセージの伝送時点とＢＭＣスケジュールメッセージの次に開始されるＣＢＳスケジュール期間の開始時点との差値を示す。
【００２７】
従って、ＣＢＳメッセージを受信する端末は、ＢＭＣスケジュールメッセージを受信することで、次のＣＢＳスケジュール期間がいつ開始されいつ終了するかが分かる。端末は、ＣＢＳスケジュール期間の間にＢＭＣスケジュールメッセージを受信して、次のＣＢＳスケジュール期間情報を獲得することができる。このような方式で、端末は、いつＢＭＣメッセージが伝送されないかを把握できるため、バッテリー節約のための不連続受信（ＤＲＸ）を行うことができる。
【００２８】
図４に示すように、ＢＭＣスケジュールメッセージは、次のＣＢＳスケジュール期間の間に伝送される一つまたは複数のＢＭＣメッセージに対する情報を提供する。
【００２９】
図４において、新規メッセージのビットマップパラメーターは、次のＣＢＳスケジュール期間の間に伝送される各ＢＭＣメッセージに対し、該当のメッセージが新たに放送されるメッセージであるか、以前に放送されたメッセージであるかを示す。また、メッセージの説明パラメーターは、次のＣＢＳスケジュール期間の間に伝送される各ＢＭＣメッセージの種類及びＩＤを示す。このとき、メッセージの種類は、ＣＢＳメッセージ、スケジュールメッセージ及びＣＢＳ４１メッセージの何れか一つを示す。
【００３０】
しかし、一般にＣＢＳメッセージの最大長さは１２３０ｏｃｔｅｔに制限されているため、マルチメディアデータを放送またはマルチキャストする用途としては適当でない。また、前記ＣＢＳメッセージは、特定のセルの全ての端末に放送されるため、特定の端末グループのみにサービスを提供するマルチキャストが無線上で不可能である。従って、無線上でマルチメディアデータを特定の端末グループに放送またはマルチキャストするために、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）と呼ばれる新しいサービスが提案された。
【００３１】
以下、ＭＢＭＳについて説明する。
【００３２】
ＭＢＭＳは、単方向点対多ベアラサービス（Ｐｏｉｎｔ−ｔｏ−Ｍｕｌｔｉｐｏｉｎｔ
Ｂｅａｒｅｒ  Ｓｅｒｖｉｃｅ）を利用して、オーディオ、ビデオ及び映像のようなマルチメディアデータを複数の端末に伝達するサービスである。ＭＢＭＳは、放送モードとマルチキャストモードとに分けられる。即ち、ＭＢＭＳサービスは、ＭＢＭＳ放送サービスとＭＢＭＳマルチキャストサービスとに分けられる。
【００３３】
ＭＢＭＳ放送モードは、放送地域（Ｂｒｏａｄｃａｓｔ  ａｒｅａ）にいる全ての使用者にマルチメディアデータを伝送するサービスである。このとき、放送地域とは、放送サービスが可能な領域をいう。一つのＰＬＭＮ（Ｐｕｂｌｉｃ  ｌａｎｄ  ｍｏｂｉｌｅ  ｎｅｔｗｏｒｋ）内には、一つ以上の放送地域が存在し、一つの放送地域で一つ以上の放送サービスが提供され、且つ、一つの放送サービスが複数の放送地域に提供されることもできる。
【００３４】
ＭＢＭＳマルチキャストモードは、マルチキャスト地域（Ｍｕｌｔｉｃａｓｔ  ａｒｅａ）にいる特定の使用者グループのみにマルチメディアデータを伝送するサービスである。このとき、マルチキャスト地域とは、マルチキャストサービスが可能な領域をいう。一つのＰＬＭＮ内には、一つ以上のマルチキャスト地域が存在し、一つのマルチキャスト地域に一つ以上のマルチキャストサービスが提供される。且つ、一つのマルチキャストサービスが複数のマルチキャスト地域に提供されることもできる。
【００３５】
ＭＢＭＳマルチキャストモードで、使用者は、特定のマルチキャストサービスを受信するため、マルチキャストグループ（Ｍｕｌｔｉｃａｓｔ  ｇｒｏｕｐ）に参加（Ｊｏｉｎｉｎｇ）するように要求される。このとき、マルチキャストグループとは、特定のマルチキャストサービスを受信する使用者集団をいい、参加とは、特定のマルチキャストサービスを受信しようと集まったマルチキャストグループに合流する行為をいう。
【００３６】
二種類の論理チャンネル、即ち、ＭＢＭＳ  Ｃｏｎｔｒｏｌ  Ｃｈａｎｎｅｌ（ＭＣＣＨ）及びＭＢＭＳ  Ｔｒａｆｆｉｃ  Ｃｈａｎｎｅｌ（ＭＴＣＨ）がＭＢＭＳデータ伝送のために提供される。前記ＭＣＣＨチャンネルは、ＭＢＭＳ制御情報を各ＭＢＭＳ端末に伝送するために使用され、前記ＭＴＣＨは、特定のＭＢＭＳサービスデータを各ＭＢＭＳ端末に伝送するために使用される。従って、複数のＭＢＭＳサービスが一つのセルで利用されるためには、前記セルで複数のＭＴＣＨが構成されるべきである。しかし、マルチキャストモードの場合、ＭＴＣＨは特定のＭＢＭＳサービスに参加したＭＢＭＳ端末のみで構成される。
【００３７】
ＭＡＣ階層は、伝達されたＭＢＭＳデータにＭＡＣヘッダーを付けた後、共通伝送チャンネルを通じて基地局の物理階層に伝達し、伝達されたＭＢＭＳデータは、物理階層で符号化及び変調などの過程を経た後、共通物理チャンネルを通じて端末に伝送される。このとき、共通伝送チャンネルは、Ｔｒａｎｓｍｉｓｓｉｏｎ  Ｔｉｍｅ  Ｉｎｔｅｒｖａｌ（ＴＴＩ）という所定時間単位でデータを伝送し、共通伝送チャンネルにマッピングされる各共通物理チャンネルは、フレーム単位で伝送される。
【００３８】
通常、複数のチャンネルを通じて伝達される複数のサービスを同時に受信するためには、複数のチャンネルを同時に受信することが最も簡単であるが、このような方法は端末機を複雑にする。
【００３９】
前記のような問題を解決するため、従来のＣＢＳサービスにおいては、特定のサービスが提供される時間区間を予め決めて知らせるスケジューリング方式を適用している。この方式は、ＭＢＭＳサービスと他のサービス、またはＭＢＭＳサービスと制御情報を同時に受信する場合も有効に利用することができる。また、ＭＢＭＳサービスを受信しない間に端末が不連続受信（ＤＲＸ）を行うことで、バッテリー浪費を防止することもできる。
【００４０】
しかし、従来のＣＢＳサービスの場合は、一つのセルで一つのサービスのみを提供するため、一つのセルで同じスケジューリングパラメーターを設定するが、ＭＢＭＳサービスの場合は、一つのセルで多様なサービスが提供されるため、ＣＢＳのスケジューリングとは異なるスケジューリング方式が要求される。
【発明の開示】
【課題を解決するための手段】
【００４１】
本発明の目的は、多様な特性を有する高速のデータを放送及びマルチキャストする無線アクセス網に適当な伝送スケジューリング方法を提供することにある。
【００４２】
本発明の他の目的は、ＭＢＭＳサービス毎にデータの伝送時間を異なるように指定することで、特定のＭＢＭＳサービスデータが伝送されない時間に他のサービスまたはチャンネルを受信できるマルチメディアサービス提供方法を提供することにある。
【００４３】
前記のような目的を達成するため、複数の端末により構成された端末グループにＭｕｌｔｉｍｅｄｉａ  Ｂｒｏａｄｃａｓｔ／Ｍｕｌｔｉｃａｓｔ  Ｓｅｒｖｉｃｅ（ＭＢＭＳ）を提供する無線通信システムにおいて、本発明に係るマルチメディアサービスデータのスケジューリング方法は、特定のＭＢＭＳサービスデータが伝送される無線チャンネルの無線資源を指定する段階と、指定された無線資源情報をＭＢＭＳサービス毎に端末グループに伝送する段階と、を含む。
【００４４】
前記マルチメディアサービスデータのスケジューリング方法は、伝送された無線資源情報に基づいて、各端末グループの端末でマルチメディアサービスデータを受信する段階を更に含む。
【００４５】
好ましくは、前記無線チャンネルは、共通物理チャンネルであることを特徴とする。
【００４６】
好ましくは、前記無線資源は、ＭＢＭＳサービスデータが伝送される時間を示すスケジュール情報であることを特徴とする。
【００４７】
好ましくは、互いに異なるＭＢＭＳサービスデータには、互いに異なる無線資源が割り当てられることを特徴とするマルチメディアサービス提供方法。
【００４８】
好ましくは、前記無線資源は、ＵＴＲＡＮが特定のＭＢＭＳサービスのためのｒａｄｉｏ  ｂｅａｒｅｒ（ＲＢ）を設定または再設定する時に指定されることを特徴とする。
【００４９】
好ましくは、前記フレームは、特定のＭＢＭＳのためのＲＢが設定されているとき、周期的または非周期的に割り当てられることを特徴とする。
【００５０】
好ましくは、前記端末は、フレーム割当情報が指示する時間の間、ＭＢＭＳサービスデータを受信することを特徴をする。
【００５１】
好ましくは、前記端末は、フレーム割当情報が指示する時間以外の時間の間、制御信号を受信することを特徴とする。
【００５２】
好ましくは、前記端末は、フレーム割当情報が指示する時間以外の時間の間、全てのサービスデータの受信を中断することを特徴とする。
【００５３】
好ましくは、前記端末は、スケジューリング情報が指示する時間以外の時間の間、ＭＢＭＳサービスを除いた他のサービスデータを受信することを特徴とする。
【００５４】
好ましくは、前記無線資源は、Ｒａｄｉｏ  ｒｅｓｏｕｒｃｅ  ｃｏｎｔｒｏｌ（ＲＲＣ）階層またはマルチメディア階層により指定されることを特徴とする。
【００５５】
好ましくは、前記無線資源がＲａｄｉｏ  ｒｅｓｏｕｒｃｅ  ｃｏｎｔｒｏｌ（ＲＲＣ）階層により指定される場合、前記無線資源は、フレーム形態で伝送されることを特徴とする。
【００５６】
好ましくは、前記無線資源は、放送チャンネルまたは制御チャンネルを通じて端末グループに伝送されることを特徴とする。
【００５７】
好ましくは、前記無線資源がマルチメディア階層により指定される場合、前記無線資源は、ＭＢＭＳスケジュールメッセージに含まれて伝達されることを特徴とする。
【００５８】
好ましくは、互いに異なるＭＢＭＳスケジュールメッセージは、互いに異なるチャンネルを通じて端末グループに伝達されることを特徴とする。
【００５９】
好ましくは、前記チャンネルは、共通トラフィックチャンネルであることを特徴とする。
【００６０】
好ましくは、前記ＭＢＭＳスケジュールメッセージは、次に放送またはマルチキャストされる予定である特定のＭＢＭＳデータのシーケンス番号（Ｓｅｑｕｅｎｃｅ  Ｎｕｍｂｅｒ）または識別子とスケジュール情報を含むことを特徴とする。
【００６１】
好ましくは、前記ＭＢＭＳスケジュールメッセージは、特定のＭＢＭＳサービスの間、周期的に複数回伝送されることを特徴とする。
【００６２】
好ましくは、前記ＭＢＭＳスケジュールメッセージは、該当のＭＢＭＳデータが最初の伝送であるか、または反復伝送であるかを示すことを特徴とする。
【００６３】
好ましくは、前記ＭＢＭＳスケジュールメッセージは、特定のＭＢＭＳサービスの間、非周期的に複数回伝送されることを特徴とする。
【００６４】
好ましくは、前記ＭＢＭＳスケジュールメッセージは、ＭＢＭＳスケジュール期間の長さ及び前記ＭＢＭＳスケジュール期間の開始点と終了間の長さを示すことを特徴とする。
【００６５】
前記のような目的を達成するため、複数の端末により構成された端末グループにマルチメディアサービスを提供する無線通信システムにおいて、本発明に係るマルチメディアサービス提供方法は、特定のマルチメディアサービスのためのフレームを割り当てる段階と、フレーム割当情報を特定の端末グループに伝送する段階と、フレーム割当情報に基づいて、各端末グループでマルチメディアサービスデータを受信する段階と、を含む。
【００６６】
好ましくは、前記マルチメディアサービスは、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）であることを特徴とする。
【００６７】
好ましくは、前記フレームは、特定のマルチメディアサービスデータが伝送される共通物理チャンネルのフレームであることを特徴とする。
【００６８】
好ましくは、互いに異なるマルチメディアサービスデータは、互いに異なるフレームに割り当てられることを特徴とする。
【００６９】
好ましくは、前記フレームは、特定のＭＢＭＳサービスのためのｒａｄｉｏ  ｂｅａｒｅｒ（ＲＢ）を設定または再設定する時に割り当てられることを特徴とする。
【００７０】
好ましくは、前記フレームは、特定のＭＢＭＳのためのＲＢが設定されているとき、周期的または非周期的に割り当てられることを特徴とする。
【００７１】
好ましくは、前記フレームは、Ｒａｄｉｏ  ｒｅｓｏｕｒｃｅ  ｃｏｎｔｒｏｌ（ＲＲＣ）階層により割り当てられることを特徴とする。
【００７２】
好ましくは、前記フレームは、特定のＭＢＭＳサービスデータが伝送される時間を示すことを特徴とする。
【００７３】
好ましくは、前記フレーム割当情報は、特定のＭＢＭＳサービスデータが伝送される時間間隔及びその時間間隔が繰り返される周期を示すことを特徴とする。
【００７４】
好ましくは、前記端末グループは、フレーム割当情報が指示する時間の間、ＭＢＭＳサービスデータを受信することを特徴をする。
【００７５】
好ましくは、前記端末グループは、フレーム割当情報が指示する時間以外の時間の間、制御信号を受信することを特徴とする。
【００７６】
好ましくは、前記端末グループは、フレーム割当情報が指示する時間以外の時間の間、全てのサービスデータの受信を中断することを特徴とする。
【００７７】
好ましくは、前記フレーム割当情報は、放送チャンネルまたは制御チャンネルを通じて伝達されることを特徴とする。
【００７８】
前記のような目的を達成するため、複数の端末により構成された端末グループにマルチメディアサービスを提供する無線通信システムにおいて、本発明に係るマルチメディアサービス提供方法は、マルチメディアサービス毎にデータ伝送スケジューリングを独立的に行う段階と、スケジューリング情報を特定の端末グループに伝送する段階と、スケジューリング情報に基づいて、端末グループの各端末でマルチメディアサービスデータを受信する段階と、を含む。
【００７９】
好ましくは、前記マルチメディアサービスは、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）であることを特徴とする。
【００８０】
好ましくは、前記スケジューリングは、ＵＴＲＡＮが特定のマルチメディアサービスのためのｒａｄｉｏ  ｂｅａｒｅｒ（ＲＢ）を設定または再設定する時に行われることを特徴とする。
【００８１】
好ましくは、前記データ伝送スケジューリングは、独立的に行われ、前記スケジューリング情報は、マルチメディアサービス毎に伝送されることを特徴とする。
【００８２】
好ましくは、前記スケジューリング情報は、特定のマルチメディアサービスのためのｒａｄｉｏ  ｂｅａｒｅｒ（ＲＢ）が設定されている間、所定の周期または非周期的に複数回伝送されることを特徴とする。
【００８３】
好ましくは、前記スケジューリング情報は、互いに異なる共通トラフィックチャンネルを通じて伝達されることを特徴とする。
【００８４】
好ましくは、前記スケジューリング情報は、特定のデータが伝送される時間情報であることを特徴とする。
【００８５】
好ましくは、前記スケジューリング情報は、ＭＢＭＳスケジュールメッセージに含まれて伝送されることを特徴とする。
【００８６】
好ましくは、互いに異なるＭＢＭＳサービスは、互いに異なるＭＢＭＳスケジュールメッセージを使用することを特徴とする。
【００８７】
好ましくは、互いに異なるＭＢＭＳスケジュールメッセージは、互いに異なるチャンネルを通じて端末グループに伝達されることを特徴とする。
【００８８】
好ましくは、前記ＭＢＭＳスケジュールメッセージは、次に放送またはマルチキャストされる予定である特定のＭＢＭＳデータのシーケンス番号（Ｓｅｑｕｅｎｃｅ  Ｎｕｍｂｅｒ）または識別子とスケジューリング情報を含むことを特徴とする。
【００８９】
好ましくは、前記ＭＢＭＳスケジュールメッセージは、該当のＭＢＭＳデータが最初の伝送であるか、または反復伝送であるかを示す情報を含むことを特徴とする。
【００９０】
好ましくは、前記ＭＢＭＳスケジュールメッセージは、特定のＭＢＭＳサービスの間、周期的に複数回伝送される特徴とする。
【００９１】
好ましくは、前記ＭＢＭＳスケジュールメッセージは、特定のＭＢＭＳサービスの間、非周期的に複数回伝送されることを特徴とする。
【００９２】
好ましくは、前記ＭＢＭＳスケジュールメッセージは、ＭＢＭＳスケジュール期間の長さ及び前記ＭＢＭＳスケジュール期間の開始点と終了間の長さを示すことを特徴とする。
【００９３】
好ましくは、前記スケジューリング情報は、ＵＴＲＡＮの放送及びマルチキャスト制御階層により生成されることを特徴とする。
【００９４】
好ましくは、前記放送及びマルチキャスト制御階層は、スケジュール情報を下位階層に伝達することを特徴とする。
【００９５】
好ましくは、前記スケジュール情報は、特定の端末グループの放送及びマルチキャスト制御階層に伝達されることを特徴とする。
【００９６】
好ましくは、前記端末の放送及びマルチキャスト制御階層は、伝送されたスケジュール情報を下位階層に伝達することを特徴とする。
【００９７】
好ましくは、前記端末グループは、スケジューリング情報が指示する時間の間、マルチメディアサービスデータを受信することを特徴をする。
【００９８】
好ましくは、前記端末グループは、スケジューリング情報が指示する時間以外の時間の間、制御信号を受信することを特徴とする。
【００９９】
好ましくは、前記端末グループは、スケジューリング情報が指示する時間以外の時間の間、ＭＢＭＳサービスを除いた他のサービスデータを受信することを特徴とする。
【０１００】
好ましくは、前記スケジューリング情報が指示する時間以外の時間の間、全てのサービスデータの受信を中断することを特徴とする。  
【発明を実施するための最良の形態】
【０１０１】
以下、本発明の実施例を詳細に説明する。
【０１０２】
本発明は、３ＧＰＰにより開発されたＵＭＴＳ（Ｕｎｉｖｅｒｓａｌ  ｍｏｂｉｌｅ  ｔｅｌｅｃｏｍｍｕｎｉｃａｔｉｏｎｓ  ｓｙｓｔｅｍ）のような移動通信システムで実現される。しかし、本発明は、他の標準によって動作する通信システムにも適用されることができる。
【０１０３】
本発明は、共通無線チャンネルを通じて特定の端末グループにマルチメディアサービスを提供する無線通信システムにおいて、特定のマルチメディアサービスデータが伝送される共通無線チャンネルの無線資源を指定して、特定のマルチメディアサービス毎に端末グループに伝送する方式を提案する。
【０１０４】
また、本発明は、一つのセルに提供される互いに異なるＭＢＭＳサービスは、互いに異なるスケジューリングパラメーターを有するようにした。ここで、スケジューリングは、該当のＭＢＭＳサービスデータ（以下、ＭＢＭＳデータという）が伝送されるか、または伝送されないことを知らせることをいい、スケジューリングパラメーターは、該当のデータが伝送されるか、または伝送されない時間情報を含む。従って、互いに異なるＭＢＭＳサービスは、互いに異なる時間に重ならないようにデータを伝送できるようにする。即ち、一つの時間区間には、一つのＭＢＭＳサービスのみが提供されるようにする。
【０１０５】
本発明において、無線網は、ＭＢＭＳデータが伝送される時間をＭＢＭＳサービス毎に指定し、該当の時間情報を特定のＭＢＭＳサービスを受信しようとする端末グループに伝送する。従って、特定のＭＢＭＳデータが伝送されない時間に端末グループに属する各端末は、他のサービスまたはチャンネルを受信することができる。また、ＭＢＭＳデータが伝送されない時間に受信する、他のＭＢＭＳサービスやチャンネルがない場合、該当の端末グループに属する各端末が休止状態に入ることにより、端末のバッテリー浪費を防止することができる。
【０１０６】
本発明に係るＭＢＭＳデータの送受信方法は、制御平面で伝送区間を指定する方法と、使用者平面で伝送区間を指定する方法とに区分される。これらの方法は、独立的に適用されることもでき、ＣＢＳの第１レベル及び第２レベルスケジューリングのように共に適用されることもできる。ここで、二つの方法が共に適用される場合、制御平面で伝送区間を指定する方法は、ＣＢＳの第１レベルスケジューリングに該当し、使用者平面で伝送区間を指定する方法は、ＣＢＳの第２レベルスケジューリングに該当する。制御平面で伝送区間を指定する方法の場合、ＲＲＣのような第３階層プロトコルがＭＢＭＳデータの送受信または伝送区間の割当を制御する。使用者平面で伝送区間を指定する方法の場合、ＰＤＣＰ、ＲＬＣ、ＭＡＣのような第２階層プロトコルがＭＢＭＳデータの送受信または伝送区間の割当を制御する。
【０１０７】
一般に、ＭＢＭＳサービスは、ストリーミング（Ｓｔｒｅａｍｉｎｇ）タイプのサービスと、後先（Ｂａｃｋｇｒｏｕｎｄ）タイプのサービスとに分けられる。本発明においては、複数の後先タイプのＭＢＭＳサービスを提供するセルで、特定の下向ＭＢＭＳチャンネルが複数の後先タイプのＭＢＭＳサービスを互いに異なる時間に分けてサービスする方式を提案する。
【０１０８】
即ち、本発明において、ＵＴＲＡＮは、ストリーミングタイプ及び後先タイプのＭＢＭＳサービスを区分し、後先タイプのＭＢＭＳサービスを集めて、特定の下向ＭＢＭＳチャンネルに時間多重化（Ｔｉｍｅ  Ｍｕｌｔｉｐｌｅｘｉｎｇ）して下向伝送する。このとき、時間多重化される複数のサービスは、同じ時間に互いに重ならないようにする。また、特定の下向ＭＢＭＳチャンネルは、伝送チャンネルまたは物理チャンネルをいう。
【０１０９】
前記時間多重化して伝送される複数のサービスに対し、ＵＴＲＡＮは、各サービス毎に送受信を制御する。即ち、ＵＴＲＡＮは、各サービスデータが伝送される時間または伝送されない時間情報を、該当のサービスを受信しようとする各端末に伝送する。
【０１１０】
本発明において、ＭＢＭＳサービスのＱｏＳタイプ（＝ｃｌａｓｓ）が後先タイプに分類されると、ＵＴＲＡＮは、特定の物理チャンネルまたは特定の伝送チャンネルを通じて一つ以上のＭＢＭＳサービスを伝送することができる。従って、ＵＴＲＡＮは、一つのセルで各ＭＢＭＳサービスを設定する前に、各ＭＢＭＳサービスのＱｏＳタイプに基づいて、各ＭＢＭＳサービスの伝送を物理チャンネル／伝送チャンネルにスケジューリングするか否かを決定すべきである。若し、各ＭＢＭＳサービスのＱｏＳタイプ全てが後先タイプの場合、ＵＴＲＡＮは、他の伝送間隔で他のＭＢＭＳサービスを伝送する。
【０１１１】
図５は、本発明に係るＭＢＭサービス伝送方式を示す。ここで、一つのチャンネル上に後先タイプの複数のサービス（ＭＢＭＳ  Ｓｅｒｖｉｃｅ１及びＭＢＭＳ  Ｓｅｒｖｉｃｅ２）が時間多重化方式で伝送される。ここで、一つのチャンネルは、伝送チャンネルまたは物理チャンネルをいう。
【０１１２】
（制御平面を通じたＭＢＭＳデータの伝送区間の指定）
ＵＴＲＡＮの無線資源制御（ＲＲＣ）階層は、まず、特定のＭＢＭＳデータが伝送される時間を決定する。即ち、ＵＴＲＡＮのＲＲＣは、特定のＭＢＭＳデータが伝送される共通物理チャンネルのフレームを決定する。例えば、ＵＴＲＡＮのＲＲＣは、特定のマルチメディアサービスデータが連続的に伝送される時間間隔及びその時間間隔が繰り返される周期を決定する。ここで、時間間隔は、特定のマルチメディアサービスデータが伝送される連続的なフレームグループ内のフレーム数を示し、時間間隔の反復周期は、何れの連続的なフレームグループの開始と次の連続的なフレームグループの開始との間隔をフレームで表示したものである。
【０１１３】
前記方法は、従来のＣＢＳサービスの第１レベルスケジューリングと類似している。しかし、本発明に係るスケジューリングは、従来のスケジューリングと異なって、何れか一つのセルにサービスされる互いに異なるＭＢＭＳサービスに対し、互いに異なるスケジューリングパラメーターを設定した。
【０１１４】
図６は本発明に係るＭＢＭＳスケジューリングの一例である。
【０１１５】
図６を参照すると、ＭＢＭＳデータ（ＭＴＣＨ＃１、ＭＴＣＨ＃２及びＭＴＣＨ＃３）を伝送する各論理チャンネルは、後先タイプの互いに異なるＭＢＭＳサービスを提供する。各論理チャンネルは、各ＭＢＭＳサービスの使用者データを伝送する。ＭＢＭＳ制御情報を伝送する論理チャンネル（ＭＣＣＨ）は、互いに異なるＭＢＭＳサービスのスケジューリング情報を提供する。
【０１１６】
図６を参照すると、各論理チャンネル（ＣＴＣＨ１及びＣＴＣＨ２）は、互いに異なるＭＢＭＳサービスを提供する。ここで、最初の列の数字は、論理チャンネル（ＣＴＣＨ）がマッピングされる物理チャンネルのＳｙｓｔｅｍ  ｆｒａｍｅ  ｎｕｍｂｅｒ（ＳＦＮ）値を示す。図６は、０から１７までのＳＦＮに対し、論理チャンネル（ＣＴＣＨ）がどのように割り当てられるかを示している。図６に示すように、ＵＴＲＡＮは、互いに異なるＭＢＭＳサービスを提供するＣＴＣＨ１及びＣＴＣＨ２を互いに異なるフレームに重ならないように割り当てることができる。
【０１１７】
図６は、各ＭＴＣＨが無線フレームまたは伝送時間間隔にどのように割り当てられるかを示している。図６に示すように、ＵＴＲＡＮは、ＭＴＣＨ＃１のデータ１、ＭＴＣＨ＃２のデータ２及びＭＴＣＨ＃３のデータ３を互いに異なる無線フレームまたは伝送時間間隔に割り当てることができる。
【０１１８】
ＵＴＲＡＮは、前記割当が含まれたスケジューリング情報をＭＣＣＨを通じて各端末に伝送する。従って、各端末は、ＭＣＣＨを通じて前記スケジューリング情報を受信することで、サービスを受けようとする一つまたは複数のサービスデータが、ＭＴＣＨを通じていつ伝送されるかに対する情報を獲得することができる。
【０１１９】
その後、ＵＴＲＡＮの制御階層（ＲＲＣ）が特定のＭＢＭＳデータの伝送時間を決定して実際にデータ伝送を設定する過程は、下記のようである。
【０１２０】
図７は制御階層を通じてＭＢＭＳデータを伝送するための時間情報（スケジューリング情報）設定方法を示す図である。
【０１２１】
図７に示すように、ＵＴＲＡＮのＲＲＣは、まず、特定のＭＢＭＳデータが伝送される物理チャンネルのフレームを割り当てる（Ｓ１０）。即ち、ＵＴＲＡＮのＲＲＣは、特定のＭＢＭＳサービスのためのフレームを決定した後、該当のフレーム割当情報を下位階層（物理階層）に伝達する。
【０１２２】
また、ＵＴＲＡＮのＲＲＣは、前記フレーム割当情報を該当のＭＢＭＳサービスを受信しようとする端末グループのＲＲＣに伝達する（Ｓ１１）。この場合、前記フレーム割当情報は制御平面を利用し、放送チャンネル（ＢＣＣＨ）または制御チャンネル（ＣＣＣＨまたはＤＣＣＨ）を通じて伝達される。
【０１２３】
端末グループの端末のＲＲＣは、受信されたフレーム割当情報を各端末の物理階層に伝達し（Ｓ１２）、各端末の物理階層は、伝達されたフレーム割当情報を保存することで、制御階層を通じたＭＢＭＳデータの伝送時間情報の設定が完了する（Ｓ１３）。
【０１２４】
図７に示す時間情報設定過程は、ＵＴＲＡＮが特定のＭＢＭＳサービスのためにｒａｄｉｏ  ｂｅａｒｅｒ（ＲＢ）を設定または再設定する時に行われる。他の実施例により、前記時間情報設定過程は、特定のＭＢＭＳサービスのデータ伝送が進行される間、動的に行われる。即ち、特定のＭＢＭＳサービスのためのＲＢが設定されている間、無線システムは、時間情報設定過程を周期的または非周期的に複数回行うことが出きる。
【０１２５】
また、本発明の特定のＭＢＭＳサービスのデータを受信する端末は、他のＭＢＭＳサービスの信号及びデータ、またはＭＢＭＳ以外の他のサービスの信号及びデータを受信することができる。
【０１２６】
図８は特定のＭＢＭＳサービスのデータを受信する端末グループの所定の端末がＭＢＭＳデータを受信する間、ページング（Ｐａｇｉｎｇ）情報を受信する過程を示す一例である。前記過程は、図７の過程を通じて特定のＭＢＭＳサービスのためのフレームが既に割り当てられたことを前提にする。
【０１２７】
ＵＴＲＡＮの物理階層  は、上位階層から特定のＭＢＭＳサービスに対するＭＢＭＳデータを受信して伝送する（Ｓ２０、Ｓ２１）。このとき、ＵＴＲＡＮは、ＭＢＭＳデータが割り当てられたフレームのみで伝送されるように制御する。
【０１２８】
該当のＭＢＭＳサービスを受信する端末グループに属する端末の物理階層は、既に保存されたフレーム割当情報に該当するフレームからＭＢＭＳデータを受信し、使用者平面の上位階層に伝達する（Ｓ２２）。
【０１２９】
そして、既に保存されたフレーム割当情報に該当しないフレームの間、端末グループは特定のＭＢＭＳサービスのためのＭＣＴＣＨチャンネルを除いた他のチャンネルを受信することができる。ＵＴＲＡＮのＲＲＣは、端末グループに属する何れの端末のＲＲＣにページング信号を伝達する。このとき、ＵＴＲＡＮは、端末が受信可能な時間区間、即ち、特定のＭＢＭＳサービスに割り当てられた時間区間を除いた他の時間にページング信号を伝達する（Ｓ２３）。ページング信号は、ＲＲＣの下位にあるＲＬＣ、ＭＡＣ及び物理階層のサービスを利用して送受信される。その後、特定のＭＢＭＳサービスに割り当てられた時間区間の間、端末グループの端末は、図８の段階（Ｓ２４〜Ｓ２６）を繰り返してＭＢＭＳデータを受信する。
【０１３０】
このように特定のＭＢＭＳサービスに割り当てられた時間区間以外の区間で、端末は不連続受信（ＤＲＸ）を行うか、ページングのような制御信号または短文サービスのようなＭＢＭＳ以外のサービスを受信することができる。
【０１３１】
（制御平面を通じたＭＢＭＳデータの伝送区間の指定）
制御平面を通じてＭＢＭＳデータを伝送するとき、ＵＴＲＡＮのマルチメディア放送及びマルチキャスト制御階層（以下、マルチメディア階層という）は、特定のＭＢＭＳデータの伝送時間を決定する。即ち、マルチメディア階層は、特定のＭＢＭＳデータが伝送される共通物理チャンネルのフレームを決定し、従来のＢＭＣスケジュールメッセージと類似したＭＢＭＳスケジュールメッセージを構成する。
【０１３２】
この場合、従来のＢＭＣスケジュールメッセージは、一つのセル内に一つだけ生成されたが、本発明に係るＭＢＭＳスケジュールメッセージは、一つのセルで特定のＭＢＭＳサービス毎に複数個生成される。即ち、一つのセルにサービスされる互いに異なるＭＢＭＳサービスは、互いに異なるＭＢＭＳスケジュールメッセージを使用する。
【０１３３】
特定のＭＢＭＳサービスのためのＭＢＭＳスケジュールメッセージは、ＭＴＣＨを通じて端末グループに伝達される。従って、互いに異なるＭＢＭＳサービスのための互いに異なるＭＢＭＳスケジュールメッセージは、互いに異なるＭＴＣＨを通じて端末グループに伝達される。
【０１３４】
一つのＭＢＭＳスケジュールメッセージは、次に放送またはマルチキャストされる予定である特定のＭＢＭＳデータのシーケンス番号（Ｓｅｑｕｅｎｃｅ  Ｎｕｍｂｅｒ）または識別子、伝送時間情報を含んでいる。端末グループの端末は、ＭＢＭＳスケジュールメッセージを受信し、以後に伝送されるデータが如何なるデータであるか、どのフレームに伝送されるかを解析する。端末は、解析した情報に基づいて端末内部の受信プロセスを効率的に行うことができる。
【０１３５】
ＵＴＲＡＮは、ＭＢＭＳデータ伝送の信頼性を保障するために、同じデータを反復伝送するが、この場合、ＭＢＭＳスケジュールメッセージは、該当のＭＢＭＳデータが最初の伝送であるか、反復伝送であるかを知らせることもできる。特定のＭＢＭＳサービスの間、ＭＢＭＳスケジュールメッセージは、周期的または非周期的に複数回伝送される。この場合、伝送されるＭＢＭＳスケジュールメッセージの情報は毎回変わる。
【０１３６】
次は、ＭＢＭＳスケジュールメッセージの構成の一例である。
【０１３７】
特定のＭＢＭＳサービスのためのＲＢが設定されている間、ＭＢＭＳスケジュールメッセージは、一定の周期で複数回伝送される。先に伝送されるＭＢＭＳスケジュールメッセージ（Ｍ１）は、次のＭＢＭＳスケジュールメッセージ（Ｍ２）が伝送されるまでＭＢＭＳデータの伝送情報を伝達する。即ち、特定のＭＢＭＳサービスに対し、Ｍ１はＭ１及びＭ２の伝送時点間に伝送される各ＭＢＭＳデータの伝送情報を伝達する。
【０１３８】
端末グループは、周期的にＭＢＭＳスケジュールメッセージを受信し、次のスケジュールメッセージが伝送されるまで受信するデータがあるかを把握する。ＭＢＭＳスケジュールメッセージの周期は無線システムが決定し、ＭＢＭＳ  ＲＢの設定または再設定時に端末グループに伝達する。
【０１３９】
次は、ＭＢＭＳスケジュールメッセージの構成の他の実施例である。
【０１４０】
特定のＭＢＭＳサービスのためのＲＢが設定されている間、ＭＢＭＳスケジュールメッセージは非周期的に複数回伝送される。ＭＢＭＳスケジュールメッセージは、ＢＭＣスケジュールメッセージと同様に、ＭＢＭＳスケジュール期間の長さ及びＭＢＭＳスケジュール期間の開始点情報を含んでいる。ここで、スケジュール期間の長さは、ＭＢＭＳスケジュールメッセージの次に開始されるＭＢＭＳスケジュール期間の開始と終了間の長さを示し、ＭＢＭＳスケジュール期間の開始点は、現在のＢＭＣスケジュールメッセージの伝送時点と次のＭＢＭＳスケジュール期間の開始時点との差を示す。
【０１４１】
従って、ＭＢＭＳメッセージを受信する端末は、ＭＢＭＳスケジュールメッセージを受信することで、以後に開始されるＭＢＭＳスケジュール期間の開始と終了が分かる。端末は、ＭＢＭＳスケジュール期間の間、ＭＢＭＳスケジュールメッセージを受信し、次のＭＢＭＳスケジュール期間情報を獲得することができる。
【０１４２】
このように、ＵＴＲＡＮのマルチメディア階層が特定のＭＢＭＳサービスデータの伝送時間を決定して、実際のデータ伝送を設定する。
【０１４３】
図９は使用者平面を通じてＭＢＭＳデータを伝送するための時間情報設定方法を示す図である。
【０１４４】
図９に示すように、ＵＴＲＡＮのマルチメディア階層は、特定のＭＢＭＳサービスに対して特定のデータが伝送される時間情報を含むＭＢＭＳスケジュールメッセージを構成し（Ｓ３０）、該当のＭＢＭＳサービスを受信しようとする端末グループのマルチメディア階層にＭＢＭＳスケジュールメッセージを伝送する（Ｓ３１）。このとき、前記ＭＢＭＳスケジュールメッセージは、マルチメディア階層の下位階層サービスを通じて伝達される。
【０１４５】
端末のマルチメディア階層は、受信したＭＢＭＳスケジュールメッセージを解析する。端末のマルチメディア階層は、受信しようとする特定のデータが伝送される時間情報（スケジュール情報）をスケジュールメッセージから獲得し、獲得されたスケジュール情報を端末のＲＲＣに伝達する（Ｓ３２）。端末のＲＲＣは、スケジュール情報を端末の物理階層に伝達し（Ｓ３３）、端末の物理階層は、スケジュール情報を保存する（Ｓ３４）。前記保存されたスケジュール情報は、特定のＭＢＭＳデータの受信に使用される。
【０１４６】
図９に示す時間情報設定過程は、特定のＭＢＭＳデータ伝送が進行される間、動的に発生される。即ち、特定のＭＢＭＳサービスのためのＲＢが設定されている間、無線システムは、時間情報設定過程を周期的または非周期的に複数回行うことができる。
【０１４７】
本発明は、特定のＭＢＭＳサービスのデータを受信する端末が他のＭＢＭＳサービスの信号及びデータ、またはＭＢＭＳ以外の他のサービスの信号及びデータを受信させる。
【０１４８】
図１０は特定のＭＢＭＳデータを受信する端末グループに属する何れの端末がＭＢＭＳデータを受信する間、他のサービスを受信する過程を示す例である。前記過程は、特定のＭＢＭＳサービスのための時間情報を割り当てる図９の過程が既に行われたことを前提にする。
【０１４９】
まず、ＵＴＲＡＮの物理階層  は、上位階層から特定のＭＢＭＳサービスに対するＭＢＭＳデータを受信し（Ｓ４０）、ＵＴＲＡＮの物理階層  は、受信したＭＢＭＳデータを伝送する（Ｓ４１）。このとき、ＵＴＲＡＮは、該当のサービスのＭＢＭＳデータをスケジュールメッセージの内容によって伝送させる。
【０１５０】
該当のＭＢＭＳサービスを受信する端末グループに属する端末の物理階層は、保存されたスケジュール情報が知らせるフレームからＭＢＭＳデータを受信し、上位階層に伝達する（Ｓ４２）。
【０１５１】
前記保存されたスケジュール情報に該当しないフレームの間、前記端末グループは、特定のＭＢＭＳサービスのためのＭＴＣＨチャンネルを除いた他のチャンネルを受信することができる。このために、ＵＴＲＡＮは、前記端末グループに属する何れの端末のＲＲＣに短文メッセージを伝送することができる（Ｓ４３）。ＵＴＲＡＮは、端末が受信可能な時間区間、即ち特定のＭＢＭＳサービスに割り当てられた時間区間を除いた他の時間に短文メッセージを伝達することが好ましい。
【０１５２】
その後、次の特定のＭＢＭＳサービスに割り当てられた時間区間の間、図１０の段階（Ｓ４４〜Ｓ４６）を繰り返すことで、端末の物理階層はＭＢＭＳデータを受信する。特定のＭＢＭＳサービスに割り当てられた時間以外の区間に、端末は不連続受信（ＤＲＸ）を行うか、ページングのような制御信号または短文サービスのようなＭＢＭＳ以外のサービスを受信することができる。
【０１５３】
前述したように、図７に示す時間情報の設定は、特定のＭＢＭＳサービスに対するＲＢの設定または再設定時のみに行われる。ＲＢを設定または再設定した後、ＭＢＭＳデータ伝送中、図９に示す時間情報の設定が周期または非周期的に複数回行われる。このとき、図９で割り当てるフレームは、図７で割り当てられたフレームから再び選択的に割り当てられる。従って、図７に示す方法は、静的なスケジューリングに使用し、図９に示す方法は、動的なスケジューリングに使用する。ＵＴＲＡＮと端末は、データ伝送前に各端末グループ毎に図７及び図９の過程を行うべきである。
【０１５４】
図７及び図９の過程を行った後、図８及び図１０の過程のように、特定のＭＢＭＳサービスに割り当てられた時間区間には該当のＭＢＭＳデータを受信し、割り当てられない時間区間の間には、制御信号や短文メッセージのような特定のＭＢＭＳサービス以外のデータを受信する。
【０１５５】
前述したように、従来のＣＢＳのスケジューリング方式は、ＣＢＳサービスを受信しながら他の制御信号を受信するか、ＤＲＸを行うように考案された。このような方式は、ＭＢＭＳサービスにも適用されるべきである。しかし、従来の方式のように、一つのセルで同じスケジューリングパラメーターを設定する方式は、ＭＢＭＳサービスにそのまま適用されない。
【０１５６】
本発明は、データの伝送時間をＭＢＭＳサービス毎に異なるように指定した。このような方式により、ＣＢＳのスケジューリングと類似して特定のＭＢＭＳサービスデータが伝送されない時間には、端末グループに属する各端末が他のサービスまたは他のチャンネルを受信するようにした。また、ＭＢＭＳサービスのデータが伝送されない時間には、受信する他のサービスやチャンネルがない場合、該当の端末グループに属する各端末が休止状態に入ることで、端末のバッテリー浪費を防止するようにした。
【０１５７】
そして、本発明は、図面に示す実施例に基づいて説明されたが、これは例示的なものに過ぎず、本技術分野における通常の知識を有する者であれば、多様な変形及び均等な他の実施例が可能である。従って、本発明の真の技術的保護範囲は、添付された特許請求の範囲の技術的思想により決定されるべきである。
【図面の簡単な説明】
【０１５８】
【図１】図１は、一般のＵＭＴＳシステムの網構造。
【図２】図２は、３ＧＰＰ無線接続網規格を基盤とした、端末とＵＴＲＡＮ間の無線接続インターフェース（Ｒａｄｉｏ  Ａｃｃｅｓｓ  Ｉｎｔｅｒｆａｃｅ）プロトコルの構造を示す図。
【図３】図３は、第１レベルスケジューリングの方式を説明するための図。
【図４】図４は、ＣＢＳサービスのためのＢＭＣスケジューリングメッセージの構成を示す図。
【図５】図５は、本発明に係るＭＢＭＳサービス伝送方式を示す図。
【図６】図６は、本発明に係るＭＢＭＳスケジューリングの一例を示す図。
【図７】図７は、制御階層を通じてＭＢＭＳデータを伝送するための時間情報設定方法を示す図。
【図８】図８は、特定のＭＢＭＳサービスデータを受信する端末グループの所定の端末がＭＢＭＳデータを受信する間、制御信号を受信する過程を示す図。
【図９】図９は、使用者階層を通じてＭＢＭＳデータを伝送するための時間情報設定方法を示す図。
【図１０】図１０は、特定のＭＢＭＳデータを受信する端末グループに属する何れの端末がＭＢＭＳデータを受信する間、他のサービスを受信する過程を示す図。
【図１】
2008136245.tif 000003
【図２】
2008136245.tif 000004
【図３】
2008136245.tif 000005
【図４】
2008136245.tif 000006
【図５】
2008136245.tif 000007
【図６】
2008136245.tif 000008
【図７】
2008136245.tif 000009
【図８】
2008136245.tif 000010
【図９】
2008136245.tif 000011
【図１０】
2008136245.tif 000012